(57)【要約】【課題】他の光ファイバとの接続を容易にする光ファイバが固定された光ファイバシートを提案する。【解決手段】光ファイバシート２０は、シート本体２１を有している。シート本体２１には、１つの光信号を４つの光信号に分岐させる第１及び第２光部品２３，２５が固定されており、第１光ファイバテープ心線１５及び４本の第２光ファイバテープ心線２７−１〜２７−４が固定されて外へ延びている。第１光ファイバテープ心線１５は第１光ファイバ１７及び第３光ファイバ１９を有しており、第１光ファイバ１７は第１光部品２３に接続され、第３光ファイバ１９は第２光部品２５に接続されている。各第２光ファイバテープ心線２７は第２光ファイバ２９及び第３光ファイバ３１を有しており、各第２光ファイバ２９は第１光部品２３で分岐された光信号を伝送し、各第４光ファイバ３１は第２光部品で分岐された光信号を伝送する。【選択図】図２
2007148089.tif 000002
【特許請求の範囲】
【請求項１】
第１光ファイバ内を伝送した光信号を複数に分岐して複数本の第２光ファイバの内部に伝送させる第１光部品と、第３光ファイバ内を伝送した光信号を複数に分岐して複数本第４光ファイバの内部に伝送させる第２光部品とが、シート本体に固定されており、
前記第１光ファイバ及び前記第３光ファイバを有する第１光ファイバテープ心線と、前記第２光ファイバの１本及び前記第４光ファイバの１本を有する第２光ファイバテープ心線の複数本とが前記シート本体に固定されて該シート本体の外へ延びていることを特徴とする光ファイバシート。
【請求項２】
請求項１に記載の光ファイバシートにおいて、
前記シート本体には、前記第２光ファイバの１本と前記第４光ファイバの１本とを１組みとする複数個の組みが配置されたシャッフル部が形成されており、
前記シャッフル部の前記複数個の組みが各々前記複数本の前記第２光ファイバテープ心線であることを特徴とする光ファイバシート。
【請求項３】
請求項１または２に記載の光ファイバシートにおいて、
前記第１光ファイバテープ心線及び前記複数本の第２光ファイバテープ心線の各々が前記シート本体から外へ延びてなる端部には、コネクタが接続されていることを特徴とする光ファイバシート。
【発明の詳細な説明】
【技術分野】
【０００１】
本発明は、光ファイバシートに関し、特に、光信号を分岐する光部品がシート本体に固定された光ファイバシートに関する。
【背景技術】
【０００２】
近年、ブロードバンド化の急速な普及、ＦＴＴＨ（Fiber-to-the-Home）を初めとする光ネットワークの拡大、さらに、放送と通信とを融合させた新しい情報通信サービスの提供などが行われている。このような光通信サービスをユーザに提供する場合、光ファイバケーブルを用いて局とユーザとをつなぐ。
【０００３】
特許文献１には、光ファイバケーブルを用いて局とユーザとをつなぐ方法が開示されている。この特許文献で用いられている光ファイバケーブルは２種類ある。一方の光ファイバケーブルは局からユーザ周囲まで延びて架設される架設用光ファイバケーブルであり、他方の光ファイバケーブルはユーザ周囲からユーザまで延びてそのユーザへ導入される光ドロップケーブルである。架設用光ファイバケーブル及び光ドロップケーブルは、各々、インターネット用の光ファイバと映像配信用の光ファイバとを有している。
【０００４】
特許文献１に開示されている局とユーザとをつなぐ方法は、具体的には、まず、架設用光ファイバケーブルを局からユーザ周囲にまで延長させ、次に、光分波器を用いてインターネット用光ファイバ及び映像配信用光ファイバ内を伝送する光信号をそれぞれ分岐させ、続いて、分岐させたインターネット用光ファイバを光ドロップケーブルのインターネット用光ファイバに接続し、分岐させた映像配信用光ファイバを光ドロップケーブルの映像配信用光ファイバに接続して、その光ドロップケーブルをユーザへ導入するものである。
【特許文献１】特開２００５−２０１９４６号公報
【発明の開示】
【発明が解決しようとする課題】
【０００５】
上述のように、光ファイバケーブルを用いて局とユーザとをつなぐ場合には、架設用光ファイバケーブルのインターネット用光ファイバと光ドロップケーブルのインターネット用光ファイバとを接続し、架設用光ファイバケーブルの映像配信用光ファイバと光ドロップケーブルの映像配信用光ファイバとを接続する。すなわち、架設用光ファイバケーブルから光ファイバを１本取り出し光ドロップケーブルから光ファイバを１本取り出して、取り出された光ファイバ同士を接続するため、光ファイバの接続に時間を要してしまい、その結果、作業効率が低下する虞がある。
【０００６】
本発明は、かかる点に鑑みてなされてものであり、その目的とするところは、他の光ファイバとの接続を容易にする光ファイバが固定された光ファイバシートを提案する。
【課題を解決するための手段】
【０００７】
本発明の光ファイバシートは、第１光ファイバ内を伝送した光信号を複数に分岐させ複数本の第２光ファイバ内に伝送させる第１光部品と第３光ファイバ内を伝送した光信号を複数に分岐させ複数本の第４光ファイバ内に伝送させる第２光部品とがシート本体に固定されている。そして、第１光ファイバ及び第３光ファイバを有する第１光ファイバテープ心線と、第２光ファイバの１本及び第４光ファイバの１本を有する第２光ファイバテープ心線の複数本とがシート本体に固定されて該シート本体の外へ延びている。
【０００８】
このような構成では、第１及び第２光ファイバテープ心線がシート本体から外へ延びている。
【０００９】
本発明の光ファイバシートでは、シート本体には、第２光ファイバの１本と第４光ファイバの１本とを１組みとする複数個の組みが配置されたシャッフル部が形成されており、シャッフル部の複数個の組みが各々複数本の第２光ファイバテープ心線であることが好ましい。
【００１０】
このような構成では、第２及び第４光ファイバを並べ替えてシャッフル部が形成されており、シャッフル部の各組みが第２光ファイバテープ心線となる。
【００１１】
本発明の光ファイバシートでは、第１光ファイバテープ心線及び複数本の第２光ファイバテープ心線の各々がシート本体から外へ延びてなる端部には、コネクタが接続されていることが好ましい。
【００１２】
このような構成では、第１光ファイバテープ心線及び複数本の第２光ファイバテープ心線は、各々、コネクタ接続を行うことができる。
【発明の効果】
【００１３】
本発明によれば、光ファイバテープ心線がシート本体の外へ延びているため、他の光ファイバテープ心線との接続が容易となり、ファイバ接続における作業効率の向上を図ることができる。
【発明を実施するための最良の形態】
【００１４】
以下、本発明の実施形態を図面に基づいて詳細に説明する。なお、本発明は、以下に示す実施形態に限定されない。
【００１５】
《発明の実施形態１》
実施形態１では、図１乃至図３を用いて、通信システム１の構成、光ファイバシート２０の構成及び光ファイバシート２０の製造方法を示す。なお、図１は、本実施形態の通信システム１の構成を模式的に示す図である。図２は、光ファイバシート２０の構成を模式的に示す図である。図３は、第１及び第２光ファイバテープ心線１５，２７の横断面を模式的に示す図であり、図３（ａ）が図２に示すIIIＡ−IIIＡ線における断面図であり、図３（ｂ）が図２に示すIIIＢ−IIIＢ線における断面図である。
【００１６】
まず、図１乃至図３を用いて、通信システム１を示す。
【００１７】
通信システム１は、図１に示すように、局側光ファイバテープ心線１１、第１光ファイバテープ心線１５、第２光ファイバテープ心線２７及びユーザ側光ファイバテープ心線１３を用いて、局３とユーザ５とをつないでなる。
【００１８】
局３は、サーバ等であり、光信号をユーザ５へ配信して種々の通信サービスをユーザ５に提供する。
【００１９】
ユーザ５は、学校・病院等の公共施設、オフィス、工場及びユーザ宅等に設置されたシステムやコンピュータ等であり、局３から配信された信号を受信して種々の通信サービスを利用する。
【００２０】
局側光ファイバテープ心線１１は、２心から８心の光ファイバテープ心線、好ましくは２心分割４心テープ心線または２心分割８心テープ心線であり、複数回に亘ってファイバ接続されて、局３からユーザ周囲まで延ばされて架設されている。なお、ユーザ周囲は、平面において、ユーザ５から半径１００ｍ程度の円の内部であることが好ましい。
【００２１】
ユーザ側光ファイバテープ心線１３は、ユーザ５に導入される２心の光ファイバテープ心線である。
【００２２】
第１光ファイバテープ心線１５は、２心テープ心線であり、具体的には、図３（ａ）に示すように、テープ心線の横断面において、第１光ファイバ１７と第３光ファイバ１９とが互いに接して並設されてなる。第１光ファイバテープ心線１５の局側の端部には、局側光ファイバテープ心線１１がコネクタ接続されている。具体的には、図１に示すように、局側光ファイバテープ心線１１のユーザ側の端部にはコネクタ６が接続されており、第１光ファイバテープ心線１５の局側の端部（第１光ファイバテープ心線１５のシート本体２１から外へ延びてなる端部）にはコネクタ８が接続されており、コネクタ６とコネクタ８とが接続されることにより、局側光ファイバテープ心線１１と第１光ファイバテープ心線１５とが接続されている。その接続箇所は、光クロージャ７に収容されて保護されている。一方、第１光ファイバテープ心線１５のユーザ側の端部は、図２に示すように、後述の光ファイバシート２０に固定されている。
【００２３】
第２光ファイバテープ心線２７は、２心テープ心線であり、具体的には、図３（ｂ）に示すように、テープ心線の横断面において、第２光ファイバ２９と第４光ファイバ３１とが互いに接して並設されてなる。第２光ファイバテープ心線２７の局側の端部は、図２に示すように、後述の光ファイバシート２０に固定されている。一方、第２光ファイバテープ心線２７のユーザ側の端部（第２光ファイバテープ心線２７のシート本体２１から外へ延びてなる端部）には、ユーザ側光ファイバテープ心線１３がコネクタ接続されている。具体的には、第２光ファイバテープ心線２７のユーザ側の端部にはコネクタ１２が接続されており、ユーザ側光ファイバテープ心線１３の局側の端部にはコネクタ１４が接続されており、コネクタ１２とコネクタ１４とが接続されることにより、第２光ファイバテープ心線２７とユーザ側光ファイバテープ心線１３とが接続されている。その接続箇所は、光クロージャ９に収容されて保護されている。
【００２４】
次に、図１及び図２を用いて、光ファイバシートの構成を示す。
【００２５】
光ファイバシート２０は、図１に示すように、光クロージャ９に収容されているものであり、図２に示すように、プラスチック（ＰＥＴ）製のシート本体２１に、第１光ファイバテープ心線１５と、第１光ファイバ１７及び第３光ファイバ１９と、第１光部品２３及び第２光部品２５と、４本の第２光ファイバ２９−１〜２９−４及び４本の第４光ファイバ３１−１〜３１−４と、４本の第２光ファイバテープ心線２７−１〜２７−４とが固定されてなる。具体的には、第１光ファイバテープ心線１５から取り出された第１光ファイバ１７が第１光部品２３の局側端部に接続されており、４本の第２光ファイバ２９−１〜２９−４が各々第１光部品２３のユーザ側端部に接続されている。また、第１光ファイバテープ心線１５から取り出された第３光ファイバ１９が第２光部品２５の局側に接続されており、４本の第４光ファイバ３１−１〜３１−４が各々第２光部品のユーザ側端部に接続されている。また、シート本体２１には、シャッフル部３３が第１及び第２光部品２３，２５よりもユーザ側に形成されている。
【００２６】
第１光ファイバテープ心線１５、第１光ファイバ１７及び第３光ファイバ１９は、いずれも上述の通りである。
【００２７】
第２光ファイバテープ心線２７−１〜２７−４、第２光ファイバ２９−１〜２９−４及び第４光ファイバ３１−１〜３１−４は、いずれも、第２光ファイバテープ心線２７、第２光ファイバ２９及び第４光ファイバ３１である。なお、シャッフル部３３の説明（後述）の都合上、図２には、各第２光ファイバテープ心線を区別する符号、各第２光ファイバを区別する符号及び各第４光ファイバを区別する符号を付している。
【００２８】
第１光部品２３は、入力された光信号を４つの信号に分岐するように構成された分波器である。そのため、第１光ファイバ１７内を伝送した光信号は、第１光部品２３で４つの光信号に分岐され、分岐された光信号は、各々、第２光ファイバ２９−１〜２９−４内を伝送する。
【００２９】
第２光部品２５は、入力された光信号を４つの信号に分岐するように構成された分波器である。そのため、第３光ファイバ１９内を伝送した光信号は、第２光部品２５で４つの光信号に分岐されて、分岐された光信号は、各々、第４光ファイバ３１−１〜３１−４内を伝送する。
【００３０】
シャッフル部３３では、第２光ファイバ２９−１〜２９−４及び第４光ファイバ３１−１〜３１−４が所望の配置に組み替えられている。具体的には、シャッフル部３３では、図２に示すように、第２光ファイバ２９−１と第４光ファイバ３１−１とが互いに近接して配置されて第１組となり、第２光ファイバテープ心線２７−１となる。また、第２光ファイバ２９−２と第４光ファイバ３１−２とが互いに近接して配置されて第２組となり、第２光ファイバテープ心線２７−２となる。このように、シャッフル部３３には、上記の組みが４つ形成されて４本の第２光ファイバテープ心線２７−１〜２７−４が形成されている。
【００３１】
続いて、光ファイバシート２０を製造する方法を示す。
【００３２】
まず、一方の端部にコネクタ８が接続され、他方の端部から第１光ファイバ１７及び第３光ファイバ１９が取り出された２心の第１光ファイバテープ心線１５を用意する。そして、その第１光ファイバ１７を第１光部品２３の入力側端部に接続し、その第３光ファイバ１９を第２光部品２５の入力側端部に接続する。また、第１光部品２３の出力側端部には４本の第２光ファイバ２９−１〜２９−４を接続し、第２光部品２５の出力側端部には４本の第４光ファイバ３１−１〜３１−４を接続する。
【００３３】
次に、プラスチック（ＰＥＴ）製のシート本体２１の表面に第１及び第２光部品２３，２５を固定し、４本の第２光ファイバ２９−１〜２９−４と４本の第４光ファイバ３１−１〜３１−４とを並び替えて、シャッフル部３３を形成する。
【００３４】
そして、第１光ファイバテープ心線１５をシート本体２１から外へ延びるように配置して固定する。また、シャッフル部３３の各組をシート本体２１から外へ延びるように配置し、公知のテープ心線の製造方法を用いて第２光ファイバテープ心線２７−１〜２７−４をつくる。その後、第２光ファイバテープ心線２７−１〜２７−４の外へ延びてなる各端部にコネクタ１２を接続する。このようにして、光ファイバシート２０をつくることができる。
【００３５】
以下に、本実施形態における光ファイバシート２０が奏する効果を示す。
【００３６】
光ファイバシート２０では、第１光ファイバテープ心線１５及び第２光ファイバテープ心線２７−１〜２７−４がそれぞれシート本体２１から外へ延びている。そのため、例えば、第１光ファイバテープ心線１５と局側光ファイバテープ心線１１とを接続する際に、第１光ファイバテープ心線１５から光ファイバを１本取り出し局側光ファイバテープ心線１１から光ファイバを１本取り出して取り出された光ファイバ同士を接続しなくても、第１光ファイバテープ心線１５と局側光ファイバテープ心線１１とを単に接続すればよい。すなわち、接続時に、第１光ファイバテープ心線１５や第２光ファイバテープ心線２７−１〜２７−４等から光ファイバを取り出す手間を省略することができる。そのため、ファイバ接続に要する時間を短縮することができ、ファイバ接続の効率の向上を図ることができる。
【００３７】
また、光ファイバシート２０のシート本体２１には、シャッフル部３３が形成されている。そのため、シャッフル部３３の各組みの第２及び第４光ファイバ２９，３１をテープ化すれば、第２光ファイバテープ心線２７をつくることができるため、容易に第２光ファイバテープ心線２７をつくることができる。そのため、光ファイバシート２０の製造効率を上昇させることができる。
【００３８】
また、光ファイバシート２０の第１光ファイバテープ心線１５の局側端部にはコネクタ８が接続されており、各第２光ファイバテープ心線２７のユーザ側端部にはコネクタ１２が接続されている。そのため、例えば、第１光ファイバテープ心線１５と局側光ファイバテープ心線１１とを容易に接続できるとともに、その接続を解除して別の局側光ファイバテープ心線等と接続することができるため、汎用性に優れた光ファイバシート２０を提供することができる。
【００３９】
《発明の実施形態２》
実施形態２の通信システムでは、図４に示すように、上記実施形態１に記載の光ファイバシート２０は光クロージャ５９ではなく局５３に収容されている。このように、光ファイバシート２０を局５３に収容すれば、第１及び第２光部品を局５３に収容することができるため、第１及び第２光部品における光伝送障害の発生の確率を低減できる。その結果、通信システム５１における通信の信頼性の向上を図ることができる。
【００４０】
《その他の実施形態》
本実施形態は、以下のような構成としてもよい。
【００４１】
第１及び第２光部品は、各々、１つの光信号を４本の光信号に分岐する分波器であるとしたが、分岐数は４に限定されない。また、第１及び第２光部品は、各々、複数の光信号を１本の光信号に結合する合波器であってもよい。すなわち、光信号は、局からユーザへ配信されるとともに、ユーザから局へ配信されてもよい。
【００４２】
局側光ファイバテープ心線と第１光ファイバテープ心線との接続、第２光ファイバテープ心線の各々とユーザ側光ファイバテープ心線の各々との接続は、いずれも、コネクタ接続であるとしたが、融着接続やメカニカルスプライス接続であっても構わない。なお、光ファイバシートの汎用性を高めるためには、これらの接続はコネクタ接続であることが好ましい。
【００４３】
局側光ファイバテープ心線、ユーザ側光ファイバテープ心線、第１光ファイバテープ心線及び第２光ファイバテープ心線は、いずれも、光ファイバケーブルに設けられていてもよい。
【００４４】
クロージャ７とクロージャ９とは、１つの光クロージャであることが好ましい。すなわち、光クロージャ９に、コネクタ６，８及び第１光ファイバテープ心線１５も収容されていることが好ましい。
【００４５】
また、光部品の個数は、２個に限定されない。３個以上の光部品がシート本体に固定されていてもよい。
【産業上の利用可能性】
【００４６】
以上説明したように、本発明は、光ファイバシートについて有用であり、特に、シート本体に分波器が固定された光ファイバシートについて有用である。
【図面の簡単な説明】
【００４７】
【図１】実施形態１における通信システム１の構成を示す図である。
【図２】光ファイバシートの構成を示す図である。
【図３】第１光ファイバテープ心線の横断面図である。
【図４】実施形態２における通信システム５１の構成を示す図である。
【符号の説明】
【００４８】
１１    局側光ファイバテープ心線
１３    ユーザ側光ファイバテープ心線
１５    第１光ファイバテープ心線
１７    第１光ファイバ
１９    第３光ファイバ
２０    光ファイバシート
２１    シート本体
２３    第１光部品
２５    第２光部品
２７    第２光ファイバテープ心線
２９    第２光ファイバ
３１    第４光ファイバ
３３    シャッフル部
【図１】
2007148089.tif 000003
【図２】
2007148089.tif 000004
【図３】
2007148089.tif 000005
【図４】
2007148089.tif 000006